(57)【要約】【課題】ロール状物品の包装及び開梱が簡単容易にでき、積載効率よく輸送することができ、かつ、不使用時には包装用部材の回収が容易に行うことができ、しかも汎用のコンテナとしても使用することができるロール状物品の包装用コンテナ装置を提供する。【解決手段】底板部材１１と、前記底板部材１１に対して取り外し自在に組みつけられる側板部材２０と、前記側板部材２０の上部に被せられる上板部材３０と、前記底板部材１１の上面１２に載置されるロール状物品６０の上部に載置されかつ該ロール状物品６０の中芯部６１に挿入される保持用突部４１を有する中板部材４０と、前記中板部材４０と前記上板部材３０の間に挿入される押え板部材５０を含む。【選択図】　　　　図１
2004051135.tif 000002
【特許請求の範囲】
【請求項１】
底板部材と、
前記底板部材に対して取り外し自在に組みつけられる側板部材と、
前記側板部材の上部に被せられる上板部材と、
前記底板部材の上面に載置されるロール状物品の上部に載置されかつ該ロール状物品の中芯部に挿入される保持用突部を有する中板部材と、
前記中板部材と前記上板部材の間に挿入される押え板部材
を含むことを特徴とするロール状物品の包装用コンテナ装置。
【請求項２】
前記底板部材にパレット台部を有する請求項１に記載のロール状物品の包装用コンテナ装置。
【請求項３】
前記側板部材が折りたたみ可能に構成された請求項１又は２に記載のロール状物品の包装用コンテナ装置。
【請求項４】
前記中板部材が中板本体と該中板本体の穴部に挿入されるキャップ状の突部材とからなる請求項１ないし３のいずれか１項に記載のロール状物品の包装用コンテナ装置。
【請求項５】
前記中板部材に複数の保持用突部を有する請求項１ないし４のいずれか１項に記載のロール状物品の包装用コンテナ装置。
【請求項６】
前記押え板部材が緩衝材よりなる請求項１ないし５のいずれか１項に記載のロール状物品の包装用コンテナ装置。
【発明の詳細な説明】
【０００１】
【発明の属する技術分野】
この発明は、ロール状物品を輸送するための包装用コンテナ装置に関する。
【０００２】
【従来の技術】
従来、例えばロール状に巻着されたプラスチックフィルム等のロール状物品を輸送あるいは保管のために包装するに際しては、ロールを包装紙あるいはフィルムで包装するほか、図６及び図７に示すように、ロール状物品１００の両側の円形端面１００ａ，１００ｂに、ロール状物品１００の中芯部１０１に対応する孔部１１１，１２１を形成した円形の段ボール１１０及び当て板１２０を配置し、これらの外側から筒部１３１を有するキャップ１３０を前記孔部１１１，１２１を介してロール状物品１００の中芯部１０１に挿入し、図７のように、バンド１３５を前記キャップ１３０の筒部１３１から中芯部１０１内に挿通してロール状物品１００にバンド掛けする、いわゆる個包装が一般に行われている。図７の符号１４０は包装用のクラフト紙である。
【０００３】
しかるに、上のような個包装はロール状物品１００を１つずつ包装するため、包装に多大な労力と時間がかかる一方において、その包装物を開梱する作業も煩雑であった。また、個包装で輸送あるいは保管する場合には、その積載形態がバラ積みとなるため、積載効率が悪いという問題を有している。さらに、個包装の包装物を開梱した後の包装用部材、つまり前記の段ボール１１０、当て板１２０、キャップ１３０及びバンド１３５等は多量の廃棄物となり、その回収作業も容易ではなかった。
【０００４】
一方、ロール状物品の中芯部を水平方向に懸架するなどロール状物品のための専用のコンテナが提案されているが、これらの専用コンテナは、コスト高となるばかりか、不使用時には嵩張り、保管しておく際の収納に相当の場所が必要となるなどの不利がある。
【０００５】
【発明が解決しようとする課題】
この発明は前記の点に鑑みなされたもので、ロール状物品の包装及び開梱が簡単容易にでき、積載効率よく輸送することができ、かつ、不使用時には包装用部材の回収が容易に行うことができ、しかも汎用のコンテナとしても使用することができるロール状物品の包装用コンテナ装置を提供するものである。
【０００６】
【課題を解決するための手段】
すなわち、請求項１の発明は、底板部材と、前記底板部材に対して取り外し自在に組みつけられる側板部材と、前記側板部材の上部に被せられる上板部材と、前記底板部材の上面に載置されるロール状物品の上部に載置されかつ該ロール状物品の中芯部に挿入される保持用突部を有する中板部材と、前記中板部材と前記上板部材の間に挿入される押え板部材を含むことを特徴とするロール状物品の包装用コンテナ装置に係る。
【０００７】
請求項２の発明は、前記底板部材にパレット台部を有する請求項１に記載のロール状物品の包装用コンテナ装置に係る。
【０００８】
請求項３の発明は、前記側板部材が折りたたみ可能に構成された請求項１又は２に記載のロール状物品の包装用コンテナ装置に係る。
【０００９】
請求項４の発明は、前記中板部材が中板本体と該中板本体の穴部に挿入されるキャップ状の突部材とからなる請求項１ないし３のいずれか１項に記載のロール状物品の包装用コンテナ装置に係る。
【００１０】
請求項５の発明は、前記中板部材に複数の保持用突部を有する請求項１ないし４のいずれか１項に記載のロール状物品の包装用コンテナ装置に係る。
【００１１】
請求項６の発明は、前記押え板部材が緩衝材よりなる請求項１ないし５のいずれか１項に記載のロール状物品の包装用コンテナ装置に係る。
【００１２】
【発明の実施の形態】
以下添付の図面に従ってこの発明を詳細に説明する。
図１はこの発明の一実施例に係る包装用コンテナ装置の分解斜視図、図２は図１に示す包装用コンテナ装置の内部にロール状物品を収容した状態を示す断面図、図３は図２の矢印２部分の拡大断面図、図４はこの発明の包装用コンテナ装置の側板部材の折りたたみ手順を示す側面図、図５は中板部材の一実施例を示す斜視図である。
【００１３】
図示したように、この発明に係るロール状物品の包装用コンテナ装置１０は、底板部材１１と、側板部材２０と、上板部材３０と、中板部材４０と、押え板部材５０の各部より構成される。これらの各部材は、例えばプラスチック、木材、金属あるいはこれらの複合材料よりなる。この発明のコンテナ装置１０の概略を説明すると、各部材のうち、底板部材１１と側板部材２０と上板部材３０とはコンテナの外装を規定する。これらの外装構成は従来用いられている一般的なコンテナの部材を用いることができる。そして、中板部材４０と押え板部材５０が前記外装構成内部に収納されたロール状物品６０の上部に載置され、該ロール状物品６０を保持する。以下、各部材について説明する。
【００１４】
まず、底板部材１１は本装置のベースとなるもので、図２に示すように、ロール状物品６０はその中芯部６１（中心軸）を垂直方向にして底板部材１１上に載置される。図１及び図２に示すように、底板部材１１にはその上面１２の外周縁部に側板部材２０をはめ込み立設させるための溝部１３Ａを有するアルミニウム合金等からなる溝部材１３を有している。
【００１５】
前記底板部材１１は、請求項２の発明として規定し図１及び図２に示すように、パレット台部１４を備えるようにしてもよい。このパレット台部１４は、フォークリフト等の爪部が挿入される差込空間部１５が形成されているおり、フォークリフト等による積上げ、積み降ろしを容易にする。
【００１６】
側板部材２０は、前記底板部材１１に対して取り外し自在に組み付けられる。この例では、図１に示すように、側板部材２０は、側面の４面のうちの１面を構成する単一のパネルＰ１よりなる第一側板部材２０Ａと、４面のうちの３面を構成する３枚のパネルＰ２，Ｐ３，Ｐ４が連結された第二側板部材２０Ｂより構成される。第一側板部材２０Ａ、第二側板部材２０Ｂを構成する各パネルＰ１，Ｐ２，Ｐ３，Ｐ４はその下端にアルミニウム合金等よりなる差込部２１を有しており、前記した底板部材１１上面１２の外周端部の溝フレーム１３の溝部１３Ａ内に嵌め込むことにより立設できるようになっている。第一側板部材２０Ａと第二側板部材２０Ｂとは、公知の面ファスナー等からなる着脱自在な係着部２２Ａ，２２Ｂによって、取り外し自在に接続される。
【００１７】
前記側板部材２０は、請求項３の発明として規定し図４に示すように、折りたたみ可能に構成することが好ましい。３枚のパネルが連結された第二側板部材２０Ｂは両側に位置するパネルＰ２，Ｐ４が中央のパネルＰ３に対して折りたたむことができるようにヒンジ部２５によって連結されているとともに、両側のパネルＰ２，Ｐ４はさらに略半分の位置で外側に折りたたみができるように中間ヒンジ部２５Ｈを有している。そして、図４の各図に示すように、側板部材２０の不使用時には、板状にコンパクトに折りたたんで積み重ねて保管や移送をすることができる。なお、ヒンジ部２５及び中間ヒンジ部２５Ｈはヒンジ金具やヒンジテープ等適宜のヒンジ手段を用いることができる。
【００１８】
上板部材３０は、前記側板部材２０の上部に被せられるものである。図１及び図２の例では、上板部材３０は、該上板部材３０を側板部材２０の上部に被せる際に側板部材２０の上端の差込部２６をはめ込むための溝３２Ａを有する溝部材３２をその外周縁部に備えている。なお、符号３１は積み重ね金具であり、この包装用コンテナ装置を上下方向に積み重ねる際に位置ずれを防止するためのものである。
【００１９】
中板部材４０は、図２及び図３に示すように、前記底板部材１１の上面に載置されるロール状物品６０の上部に載置され、かつ該ロール状物品６０の中芯部６１に挿入される保持用突部４１を有している。中板部材４０は前記底板部材１１と側板部材２０によって形成される平面空間内に収容される大きさであれば特に限定はないが、ロール状物品が転倒しない程度の大きさであることが必要である。この中板部材４０は、請求項４の発明として規定し図示するように、中板本体４２と該中板本体４２の穴部４３に挿入されるキャップ状の突部材４４とから構成することが便宜である。この場合において、キャップ状の突部材４４は中板本体４２の上面側から穴部４３に挿入されて組付けられる。符号４５はキャップ状の突部材４４の鍔部である。
【００２０】
この中板部材４０は、その保持用突部４１がロール状物品６０の中芯部６１に挿入された状態でロール状物品６０の上部に載置され、これによってロール状物品６０を安定的に保持し、ロール状物品６０の転倒や隣接するロール状物品６０の接触による傷つき、荷痛み等を防止することができる。なお、保持用突部４１の長さをある程度長くすれば、該保持用突部４１がロール状物品６０の中芯部６１から抜けるおそれがなくなり、安定性は向上する。図２及び図３の例では、保持用突部４１を構成するキャップ状の突部材４４の内部を空洞の筒状としたが、これに限定されるものではない。保持用突部４１の外径は、ロール状物品６０の中芯部６１の内径に合わせて決定され、中芯部６１の内径に対して９５〜９９％程度の外径であることが、載置されたロール状物品６０を安定的に保持する上で好ましい。
【００２１】
また、請求項５の発明として規定し図５に示すように、前記中板部材４０が複数の保持用突部４１を有することも可能である。図５に示したものは、前記中板部材４０が５つの穴部４３ａ，４３ｂ，４３ｃ，４３ｄ，４３ｅを有する例を示しており、それぞれにキャップ状の突部材４４が取りつけられる。なお、保持用突部４１の数及び位置はロール状物品の大きさに合せて適宜設定される。なお、実施例のような中板本体４２とキャップ状突部材４４からなる構造にあっては、複数の穴部４３ａ，４３ｂ，４３ｃ，４３ｄ，４３ｅを形成しておいて、ロール状物品の大きさに応じて適宜穴部を選択して突部４１を形成するようにしてもよい。
【００２２】
押え板部材５０は、図２及び図３に示すように前記中板部材４０と前記上板部材３０の間に挿入されるもので、中板部材４０がロール状物品６０から外れることを防止するために挿入される。このとき、前記押え板部材５０は、中板部材４０を押圧するものとするとより好ましい。こうすることにより中板部材４０によるロール状物品６０の保持が確実になる。押え板部材５０は、請求項６の発明として規定したように緩衝材より構成すると、中板部材４０によるロール状物品６０の保持をより確実に行えるとともに、輸送中の振動等をやわらげる上で好ましい。なお、緩衝材は特に限定されないが、ここではウレタン等の合成樹脂発泡体が用いられる。
【００２３】
図２はこの発明の包装用コンテナ装置１０にロール状物品６０を載置し包装した状態を表すものである。図に示すように、ロール状物品６０の下部には、段ボール７０、あて板７１、キャップ７２を配置すると、ロール状物品６０が底板部材１１と接触することがなく、ロール状物品６０の汚れや型くずれが防止でき、好ましい。この後、必要により、図示しない外側バンド等により包装用コンテナ装置１０全体が固定される。
【００２４】
このコンテナ装置の包装を解く場合には、上板部材３０と側板部材２０を取り外した後、押え板部材５０及び中板部材４０を除去すれば、被包装物であるロール状物品６０は直ちに取り出すことができ、開梱作業は極めて簡単となる。また、開梱後の各部材は、通常のパレット部材と同様に、底板部材１１の上に側板部材２０、中板部材４０、押え板部材５０及び上板部材３０とを積み重ねて、必要により外側バンド等で結束する。これによって、コンパクトになり、回収を容易に行うことができる。
【００２５】
【発明の効果】
以上図示し説明したように、このロール状物品の包装用コンテナ装置によれば、ロール状物品を簡単かつ確実に包装することができる。そしてロール状物品を安定して、積載効率よく輸送することができる。また、開梱作業も簡単容易に行うことができる。各部材は廃棄されることなく、回収することができるので、ゴミの発生を防ぎ、資源の有効活用ができる。さらに、このコンテナ装置は、汎用のコンテナとして一般物品についても使用することができる。
【図面の簡単な説明】
【図１】この発明の一実施例に係る包装用コンテナ装置の分解斜視図である。
【図２】図１に示す包装用コンテナ装置の内部にロール状物品を収容した状態を示す断面図である。
【図３】図２の矢印２部分の拡大断面図である。
【図４】この発明の包装用コンテナ装置の側板部材の折りたたみ手順を示す側面図である。
【図５】中板部材の一実施例を示す斜視図である。
【図６】従来のロール状物品の個包装を示す分解斜視図である。
【図７】図６のロール状物品の個包装の完成時を示す斜視図である。
【符号の説明】
１０　包装用コンテナ装置
１１　底板部材
１４　パレット台部
２０　側板部材
３０　上板部材
４０　中板部材
４１　保持用突部
４２　中板本体
４３　穴部
４４　突部材
５０　押え板部材
６０　ロール状物品
６１　中芯部
【図１】
2004051135.tif 000003
【図２】
2004051135.tif 000004
【図３】
2004051135.tif 000005
【図４】
2004051135.tif 000006
【図５】
2004051135.tif 000007
【図６】
2004051135.tif 000008
【図７】
2004051135.tif 000009
【手続補正書】
【提出日】平成15年10月7日(2003.10.7)
【手続補正１】
【補正対象書類名】明細書
【補正対象項目名】全文
【補正方法】変更
【補正の内容】
【発明の詳細な説明】
【特許請求の範囲】
【請求項１】パレット台部（１４）を有し、上面の外周縁部に溝部（１３Ａ）を有する底板部材（１１）と、
下面の外周縁部に溝部（３２Ａ）を有する上板部材（３０）と、
折り畳み積み重ね可能に構成された４面のパネルよりなり、各パネルの下端には前記底板部材の溝部にはめ込まれる差込部（２１）を有し上端には前記上板部材の溝部にはめ込まれる差込部（２６）を有する側板部材と、
前記底板部材の上面に載置されるロール状物品（６０）の上部に載置されかつ該ロール状物品の中芯部（６１）に挿入される保持用突部（４１）を有する中板部材（４０）と、
前記中板部材と前記上板部材の間に挿入される緩衝材よりなる押え板部材（５０）
を含むことを特徴とするロール状物品の包装用コンテナ装置。
【請求項２】前記側板部材が、４面のパネルのうちの１面を構成する単一のパネル（Ｐ１）よりなる第一側板部材（２０Ａ）と、４面のうちの３面を構成する３枚のパネル（Ｐ２，Ｐ３，Ｐ４）が連結された第二側板部材（２０Ｂ）より構成され、前記第二側板部材は両側に位置するパネル（Ｐ２，Ｐ４）が中央のパネル（Ｐ３）に対して折りたたむことができるようにヒンジ部（２５）によって連結されているとともに、両側のパネル（Ｐ２，Ｐ４）はさらに略半分の位置で外側に折りたたみができるように中間ヒンジ部（２５Ｈ）を有している請求項１に記載のロール状物品の包装用コンテナ装置。
【発明の詳細な説明】
【０００１】
【発明の属する技術分野】
この発明は、ロール状物品を輸送するための包装用コンテナ装置に関する。
【０００２】
【従来の技術】
従来、例えばロール状に巻着されたプラスチックフィルム等のロール状物品を輸送あるいは保管のために包装するに際しては、ロールを包装紙あるいはフィルムで包装するほか、図６及び図７に示すように、ロール状物品１００の両側の円形端面１００ａ，１００ｂに、ロール状物品１００の中芯部１０１に対応する孔部１１１，１２１を形成した円形の段ボール１１０及び当て板１２０を配置し、これらの外側から筒部１３１を有するキャップ１３０を前記孔部１１１，１２１を介してロール状物品１００の中芯部１０１に挿入し、図７のように、バンド１３５を前記キャップ１３０の筒部１３１から中芯部１０１内に挿通してロール状物品１００にバンド掛けする、いわゆる個包装が一般に行われている。図７の符号１４０は包装用のクラフト紙である。
【０００３】
しかるに、上のような個包装はロール状物品１００を１つずつ包装するため、包装に多大な労力と時間がかかる一方において、その包装物を開梱する作業も煩雑であった。また、個包装で輸送あるいは保管する場合には、その積載形態がバラ積みとなるため、積載効率が悪いという問題を有している。さらに、個包装の包装物を開梱した後の包装用部材、つまり前記の段ボール１１０、当て板１２０、キャップ１３０及びバンド１３５等は多量の廃棄物となり、その回収作業も容易ではなかった。
【０００４】
一方、ロール状物品の中芯部を水平方向に懸架するなどロール状物品のための専用のコンテナが提案されているが、これらの専用コンテナは、コスト高となるばかりか、不使用時には嵩張り、保管しておく際の収納に相当の場所が必要となるなどの不利がある。
【０００５】
【発明が解決しようとする課題】
この発明は前記の点に鑑みなされたもので、ロール状物品の包装及び開梱が簡単容易にでき、積載効率よく輸送することができ、かつ、不使用時には包装用部材の回収が容易に行うことができ、しかも汎用のコンテナとしても使用することができるロール状物品の包装用コンテナ装置を提供するものである。
【０００６】
【課題を解決するための手段】
すなわち、請求項１の発明は、パレット台部（１４）を有し、上面の外周縁部に溝部（１３Ａ）を有する底板部材（１１）と、下面の外周縁部に溝部（３２Ａ）を有する上板部材（３０）と、折り畳み積み重ね可能に構成された４面のパネルよりなり、各パネルの下端には前記底板部材の溝部にはめ込まれる差込部（２１）を有し上端には前記上板部材の溝部にはめ込まれる差込部（２６）を有する側板部材と、前記底板部材の上面に載置されるロール状物品（６０）の上部に載置されかつ該ロール状物品の中芯部（６１）に挿入される保持用突部（４１）を有する中板部材（４０）と、前記中板部材と前記上板部材の間に挿入される緩衝材よりなる押え板部材（５０）を含むことを特徴とするロール状物品の包装用コンテナ装置に係る。
【０００７】
請求項２の発明は、前記側板部材が、４面のパネルのうちの１面を構成する単一のパネル（Ｐ１）よりなる第一側板部材（２０Ａ）と、４面のうちの３面を構成する３枚のパネル（Ｐ２，Ｐ３，Ｐ４）が連結された第二側板部材（２０Ｂ）より構成され、前記第二側板部材は両側に位置するパネル（Ｐ２，Ｐ４）が中央のパネル（Ｐ３）に対して折りたたむことができるようにヒンジ部（２５）によって連結されているとともに、両側のパネル（Ｐ２，Ｐ４）はさらに略半分の位置で外側に折りたたみができるように中間ヒンジ部（２５Ｈ）を有している請求項１に記載のロール状物品の包装用コンテナ装置に係る。
【０００８】
【発明の実施の形態】
以下添付の図面に従ってこの発明を詳細に説明する。
図１はこの発明の一実施例に係る包装用コンテナ装置の分解斜視図、図２は図１に示す包装用コンテナ装置の内部にロール状物品を収容した状態を示す断面図、図３は図２の矢印２部分の拡大断面図、図４はこの発明の包装用コンテナ装置の側板部材の折りたたみ手順を示す側面図、図５は中板部材の一実施例を示す斜視図である。
【０００９】
図示したように、この発明に係るロール状物品の包装用コンテナ装置１０は、底板部材１１と、側板部材２０と、上板部材３０と、中板部材４０と、押え板部材５０の各部より構成される。これらの各部材は、例えばプラスチック、木材、金属あるいはこれらの複合材料よりなる。この発明のコンテナ装置１０の概略を説明すると、各部材のうち、底板部材１１と側板部材２０と上板部材３０とはコンテナの外装を規定する。これらの外装構成は従来用いられている一般的なコンテナの部材を用いることができる。そして、中板部材４０と押え板部材５０が前記外装構成内部に収納されたロール状物品６０の上部に載置され、該ロール状物品６０を保持する。以下、各部材について説明する。
【００１０】
まず、底板部材１１は本装置のベースとなるもので、図２に示すように、ロール状物品６０はその中芯部６１（中心軸）を垂直方向にして底板部材１１上に載置される。図１及び図２に示すように、底板部材１１にはその上面１２の外周縁部に側板部材２０をはめ込み立設させるための溝部１３Ａを有するアルミニウム合金等からなる溝部材１３を有している。
【００１１】
前記底板部材１１は、図１及び図２に示すように、パレット台部１４を備える。このパレット台部１４は、フォークリフト等の爪部が挿入される差込空間部１５が形成されているおり、フォークリフト等による積上げ、積み降ろしを容易にする。
【００１２】
側板部材２０は、前記底板部材１１に対して取り外し自在に組み付けられる。請求項２の発明として規定し図１に示すように、側板部材２０は、側面の４面のうちの１面を構成する単一のパネルＰ１よりなる第一側板部材２０Ａと、４面のうちの３面を構成する３枚のパネルＰ２，Ｐ３，Ｐ４が連結された第二側板部材２０Ｂより構成される。第一側板部材２０Ａ、第二側板部材２０Ｂを構成する各パネルＰ１，Ｐ２，Ｐ３，Ｐ４はその下端にアルミニウム合金等よりなる差込部２１を有しており、前記した底板部材１１上面１２の外周端部の溝フレーム１３の溝部１３Ａ内に嵌め込むことにより立設できるようになっている。第一側板部材２０Ａと第二側板部材２０Ｂとは、公知の面ファスナー等からなる着脱自在な係着部２２Ａ，２２Ｂによって、取り外し自在に接続される。
【００１３】
前記側板部材２０は、図４に示すように、折りたたみ可能に構成される。３枚のパネルが連結された第二側板部材２０Ｂは両側に位置するパネルＰ２，Ｐ４が中央のパネルＰ３に対して折りたたむことができるようにヒンジ部２５によって連結されているとともに、両側のパネルＰ２，Ｐ４はさらに略半分の位置で外側に折りたたみができるように中間ヒンジ部２５Ｈを有している。そして、図４の各図に示すように、側板部材２０の不使用時には、板状にコンパクトに折りたたんで積み重ねて保管や移送をすることができる。なお、ヒンジ部２５及び中間ヒンジ部２５Ｈはヒンジ金具やヒンジテープ等適宜のヒンジ手段を用いることができる。
【００１４】
上板部材３０は、前記側板部材２０の上部に被せられるものである。図１及び図２の例では、上板部材３０は、該上板部材３０を側板部材２０の上部に被せる際に側板部材２０の上端の差込部２６をはめ込むための溝部３２Ａを有する溝部材３２をその外周縁部に備えている。なお、符号３１は積み重ね金具であり、この包装用コンテナ装置を上下方向に積み重ねる際に位置ずれを防止するためのものである。
【００１５】
中板部材４０は、図２及び図３に示すように、前記底板部材１１の上面に載置されるロール状物品６０の上部に載置され、かつ該ロール状物品６０の中芯部６１に挿入される保持用突部４１を有している。中板部材４０は前記底板部材１１と側板部材２０によって形成される平面空間内に収容される大きさであれば特に限定はないが、ロール状物品が転倒しない程度の大きさであることが必要である。この中板部材４０は、図示するように、中板本体４２と該中板本体４２の穴部４３に挿入されるキャップ状の突部材４４とから構成することが便宜である。この場合において、キャップ状の突部材４４は中板本体４２の上面側から穴部４３に挿入されて組付けられる。符号４５はキャップ状の突部材４４の鍔部である。
【００１６】
この中板部材４０は、その保持用突部４１がロール状物品６０の中芯部６１に挿入された状態でロール状物品６０の上部に載置され、これによってロール状物品６０を安定的に保持し、ロール状物品６０の転倒や隣接するロール状物品６０の接触による傷つき、荷痛み等を防止することができる。なお、保持用突部４１の長さをある程度長くすれば、該保持用突部４１がロール状物品６０の中芯部６１から抜けるおそれがなくなり、安定性は向上する。図２及び図３の例では、保持用突部４１を構成するキャップ状の突部材４４の内部を空洞の筒状としたが、これに限定されるものではない。保持用突部４１の外径は、ロール状物品６０の中芯部６１の内径に合わせて決定され、中芯部６１の内径に対して９５〜９９％程度の外径であることが、載置されたロール状物品６０を安定的に保持する上で好ましい。
【００１７】
また、図５に示すように、前記中板部材４０が複数の保持用突部４１を有することも可能である。図５に示したものは、前記中板部材４０が５つの穴部４３ａ，４３ｂ，４３ｃ，４３ｄ，４３ｅを有する例を示しており、それぞれにキャップ状の突部材４４が取りつけられる。なお、保持用突部４１の数及び位置はロール状物品の大きさに合せて適宜設定される。なお、実施例のような中板本体４２とキャップ状突部材４４からなる構造にあっては、複数の穴部４３ａ，４３ｂ，４３ｃ，４３ｄ，４３ｅを形成しておいて、ロール状物品の大きさに応じて適宜穴部を選択して突部４１を形成するようにしてもよい。
【００１８】
押え板部材５０は、図２及び図３に示すように前記中板部材４０と前記上板部材３０の間に挿入されるもので、中板部材４０がロール状物品６０から外れることを防止するために挿入される。このとき、前記押え板部材５０は、中板部材４０を押圧するものとするとより好ましい。こうすることにより中板部材４０によるロール状物品６０の保持が確実になる。押え板部材５０は、緩衝材より構成すると、中板部材４０によるロール状物品６０の保持をより確実に行えるとともに、輸送中の振動等をやわらげる上で好ましい。なお、緩衝材は特に限定されないが、ここではウレタン等の合成樹脂発泡体が用いられる。
【００１９】
図２はこの発明の包装用コンテナ装置１０にロール状物品６０を載置し包装した状態を表すものである。図に示すように、ロール状物品６０の下部には、段ボール７０、あて板７１、キャップ７２を配置すると、ロール状物品６０が底板部材１１と接触することがなく、ロール状物品６０の汚れや型くずれが防止でき、好ましい。この後、必要により、図示しない外側バンド等により包装用コンテナ装置１０全体が固定される。
【００２０】
このコンテナ装置の包装を解く場合には、上板部材３０と側板部材２０を取り外した後、押え板部材５０及び中板部材４０を除去すれば、被包装物であるロール状物品６０は直ちに取り出すことができ、開梱作業は極めて簡単となる。また、開梱後の各部材は、通常のパレット部材と同様に、底板部材１１の上に側板部材２０、中板部材４０、押え板部材５０及び上板部材３０とを積み重ねて、必要により外側バンド等で結束する。これによって、コンパクトになり、回収を容易に行うことができる。
【００２１】
【発明の効果】
以上図示し説明したように、このロール状物品の包装用コンテナ装置によれば、ロール状物品を簡単かつ確実に包装することができる。そしてロール状物品を安定して、積載効率よく輸送することができる。また、開梱作業も簡単容易に行うことができる。各部材は廃棄されることなく、回収することができるので、ゴミの発生を防ぎ、資源の有効活用ができる。さらに、このコンテナ装置は、汎用のコンテナとして一般物品についても使用することができる。
【図面の簡単な説明】
【図１】この発明の一実施例に係る包装用コンテナ装置の分解斜視図である。
【図２】図１に示す包装用コンテナ装置の内部にロール状物品を収容した状態を示す断面図である。
【図３】図２の矢印２部分の拡大断面図である。
【図４】この発明の包装用コンテナ装置の側板部材の折りたたみ手順を示す側面図である。
【図５】中板部材の一実施例を示す斜視図である。
【図６】従来のロール状物品の個包装を示す分解斜視図である。
【図７】図６のロール状物品の個包装の完成時を示す斜視図である。
【符号の説明】
１０　包装用コンテナ装置
１１　底板部材
１４　パレット台部
２０　側板部材
３０　上板部材
４０　中板部材
４１　保持用突部
４２　中板本体
４３　穴部
４４　突部材
５０　押え板部材
６０　ロール状物品
６１　中芯部